(57)【要約】【課題】住宅等の建築物の既設階段を互い違い形式の階段に変更できること。【解決手段】既設階段の半分の横幅を有する天板11tと、その両側の側方板11sと、その前面の蹴込み板11kからなる上部箱体11と、この上部箱体11と上下対称形の底板12bと両側の側方版12sと蹴込み板12kからなる下部箱体12と、前記天板11tと前記底板12bとの間に設けられた高さ調整可能な複数の支柱とから成り、下部箱体12の側方板12sと既設階段の側桁Gとの間に長さ調整可能な突っ張り棒14を介在させた階段アタッチメント10である。或いは既設階段の半分の横幅を有する踏板と、踏板の下面に設けた高さ調整可能な複数の支柱とから形成できる。この場合前方側の左右２つの支柱の上端支持板を前方に延長し、これが既設階段の段鼻の下面に当接して既設階段に固定できる。これら階段アタッチメント10を既設階段の各段部の手前側に左右互い違いに固定する。【選択図】図１
2012041768.tif 000002
【特許請求の範囲】
【請求項１】
住宅等の建築物の既設階段に着脱自在に取り付けることができる階段用階段アタッチメント(10)であって、
既設階段の略半分の横幅を有する踏板を天板(11t) とし、この天板(11t) の両側には側方板(11s, 11s)を設け、前記天板(11t)と両側の側方板(11s, 11s)の手前側には蹴込み板(11k) を設けた箱体状のものからなる上部箱体(11)と、
この上部箱体(11)と上下略対称形の底板(12b) と両側の側方版(12s, 12s)と蹴込み板(12k) とからなる箱体状のものからなる下部箱体(12)と、
前記天板(11t) と前記底板(12b) との間に高さ調整可能な複数の支柱(13)が設けられ、
これにより上部箱体(11)又は下部箱体(12)の何れか一方が他方の内部に収容されて天板(11t) の上下高さ調整を行うことができ、
更に、上部箱体(11)又は下部箱体(12)の一方の側方板(11s, 12s)と既設階段の側桁との間に長さ調整可能な突っ張り棒(14)を介在させて固定したことを特徴とする階段用階段アタッチメント。
【請求項２】
住宅等の建築物の既設階段に着脱自在に取り付けることができる階段用階段アタッチメント(20)であって、
既設階段の略半分の横幅を有する踏板(21)と、踏板(21)の下面に取り付ける高さ調整可能な複数の支柱(13)とからなり、
踏板(21)の前方側に配置される左右２つの支柱(13f, 13f)の上端支持板(13h, 13h) を踏板(21)の下面から前方に延長する支持板延長部(13i, 13i)を設け、この支持板延長部(13i, 13i)が、既設階段の踏板の手前側縁部の突出部（段鼻）の下面に当接して、既設階段に取り付け固定することができることを特徴とする階段用階段アタッチメント。
【請求項３】
手前側左右の支柱(13e, 13e)の基礎板(13b, 13b)の手前側に既設階段の段鼻に係合する係合部(13k, 13k) を設けたことを特徴とする請求項２に記載の階段用階段アタッチメント。
【請求項４】
請求項１に記載の階段用階段アタッチメント(10)を既設階段の奇数段の手前側に設置し、請求項２に記載の階段用階段アタッチメント(20)を既設階段の偶数段の手前側に設置し、これにより既設階段の踏板を左右段違いに形成したことを特徴とする階段用階段アタッチメント。
【請求項５】
請求項１に記載の階段用階段アタッチメント(10)を既設階段の各段部の手前側に左右互い違いに設置することにより、既設階段の踏板を左右段違いに形成したことを特徴とする階段用階段アタッチメント。
【請求項６】
請求項２に記載の階段用階段アタッチメント(20)を既設階段の各段部の手前側に左右互い違いに設置することにより、既設階段の踏板を左右段違いに形成したことを特徴とする階段用階段アタッチメント。
【発明の詳細な説明】
【技術分野】
【０００１】
本発明は、各種住宅等の建築物の既設階段に付加的に取り付けて踏板が左右交互に段違いとなる「互い違い階段」（登録商標）に変更することができる階段用階段アタッチメントに関するものである。
【背景技術】
【０００２】
本願出願人は、踏板が左右段違いに形成された各種の互い違い形式の階段について既に複数の意匠登録を取得し、その他数件の意匠登録出願を行っている。
即ち、意匠登録第１３４４１３２号、同第１３５６６７５号、同１３５６６７６号及び同第１３８７３４４号、並びに、意願２０１０−８６５号、意願２０１０−９１０３号、意願２０１０−９１０４号、意願２０１０−９１０５号、意願２０１０−９１３４号、意願２０１０−９１３５号、意願２０１０−９１３６号及び意願２０１０−１１７９６号を挙げることができる。
【先行技術文献】
【特許文献】
【０００３】
【特許文献１】意匠登録第１３４４１３２号公報
【特許文献２】意匠登録第１３５６６７５号公報
【特許文献３】意匠登録第１３５６６７６号公報
【特許文献４】意匠登録第１３８７３４４号公報
【発明の概要】
【発明が解決しようとする課題】
【０００４】
上記意匠登録及び意匠出願に係る互い違い形式の階段は、その全体が完成品で、この完成品を各種の住宅等に設置することとなる。
本発明においては、その課題とするところは、各種住宅等の建築物の既設の通常の階段に付加的に取り付けてこの互い違い形式の階段を簡単に実現することができる既設階段用の階段アタッチメントを提案することである。
何故通常の形式の既設階段に代えてこのような互い違い形式の階段にするかというと、第一に先ず上り易く降り易いということが挙げられる。
また、互い違い形式とすることによって、踏板の実際の前後方向の踏み面（踏みしろ）の長さを長くすることができる。そのため、踏み外しや滑り等の恐れが少なくなるのである。
更に、本発明においては、通常の既設階段に付加的に取り付ける階段アタッチメント形式のものであるために、必要に応じて、通常の既設階段にすぐ変更し、元の形態に戻せることもその課題となる。
【課題を解決するための手段】
【０００５】
上記課題を解決するために、本発明の第１のものは、住宅等の建築物の既設階段に着脱自在に取り付けることができる階段用階段アタッチメントであって、既設階段の略半分の横幅を有する踏板を天板とし、この天板の両側には側方板を設け、前記天板と両側の側方板の手前側には蹴込み板を設けた箱体状のものからなる上部箱体と、この上部箱体と上下略対称形の底板と両側の側方版と蹴込み板とからなる箱体状のものからなる下部箱体と、前記天板と前記底板との間に高さ調整可能な複数の支柱が設けられ、これにより上部箱体又は下部箱体の何れか一方が他方の内部に収容されて天板の上下高さ調整を行うことができ、更に、上部箱体又は下部箱体の一方の側方板と既設階段の側桁との間に長さ調整可能な突っ張り棒を介在させて固定したことを特徴とする階段用階段アタッチメントである。
【０００６】
本発明の第２のものは、住宅等の建築物の既設階段に着脱自在に取り付けることができる階段用階段アタッチメントであって、既設階段の略半分の横幅を有する踏板と、踏板の下面に取り付ける高さ調整可能な複数の支柱とからなり、踏板の前方側に配置される左右２つの支柱の上端支持板を踏板の下面から前方に延長する支持板延長部を設け、この支持板延長部が、既設階段の踏板の手前側縁部の突出部（段鼻）の下面に当接して、既設階段に取り付け固定することができることを特徴とする階段用階段アタッチメントである。
【０００７】
本発明の第３のものは、上記第１の発明において、手前側左右の支柱の基礎板の手前側に既設階段の段鼻に係合する係合部を設けたことを特徴とする階段用階段アタッチメントである。
【０００８】
本発明の第４のものは、請求項１に記載の階段用階段アタッチメントを既設階段の奇数段の手前側に設置し、請求項２に記載の階段用階段アタッチメントを既設階段の偶数段の手前側に設置し、これにより既設階段の踏板を左右段違いに形成したことを特徴とする階段用階段アタッチメントである。
【０００９】
本発明の第５のものは、請求項１に記載の階段用階段アタッチメントを既設階段の各段部の手前側に左右互い違いに設置することにより、既設階段の踏板を左右段違いに形成したことを特徴とする階段用階段アタッチメントである。
【００１０】
本発明の第６のものは、請求項２に記載の階段用階段アタッチメントを既設階段の各段部の手前側に左右互い違いに設置することにより、既設階段の踏板を左右段違いに形成したことを特徴とする階段用階段アタッチメントである。
【発明の効果】
【００１１】
本発明の第１のものにおいては、着脱自在の階段アタッチメントを既設階段に取り付けることによって簡単に互い違い形式の階段に変更することができ、他方、これが不要で通常の階段に戻すときにも簡単にこの階段アタッチメントを取り外して元の既設階段に容易に戻すこともできる。
この階段アタッチメントは、上部箱体と下部箱体によってその何れか一方が他方の内部に収容されるために、高さ調整可能な支柱の上下の伸縮動作を容易に行うことができ、既設階段の蹴上げ高さに容易に合致させることができる。
【００１２】
更に本発明においては、長さ調整可能な突っ張り棒を上部箱体又は下部箱体の一方の側方板と側桁との間に介在させて幅方向に負荷を掛けているために、階段アタッチメントの固定に寄与する。
また、この第１の発明では、上部箱体と下部箱体を相互に入れ子式に構成しており、その前面に蹴込み板が設けられ、既設階段にこの階段アタッチメントを取り付けた際に、次の第２の発明に係る階段アタッチメントと比較すれば、踏板（天板）の下面に塵埃等が溜まることがない。
【００１３】
本発明の第２のものにおいては、上記第１の発明と同様の効果を発揮するものであり、踏板を支持する複数の支柱が高さ調整可能であるため、踏板の高さを既設階段の踏み面の高さに容易に合致させることができる。
また、踏板の前方側に配置される左右の２つの支柱の上端支持板を踏板の下面から前方に延長して支持板延長部を設けており、この延長部が既設階段の踏板の手前の段鼻の下面に当接するため、これらの支柱を上方に伸長させて、段鼻の下面に当接させて上方に向かって負荷を掛けることによって、本発明の階段アタッチメントが容易に堅固に既設階段の手前側に固定されることとなるのである。
【００１４】
本発明の第３のものにおいては、上記第２の発明において、手前側の左右の支柱の基礎板の手前側に既設階段の段鼻に係合する係合部を設けているために、より確実に手前側の支柱が既設階段の段鼻に固定されることとなり、この階段アタッチメントがより堅固に既設階段に取り付けられることとなる。
【００１５】
本発明の第４のものにおいては、上記第１の発明に係る階段アタッチメントを既設階段の奇数段の手前側に配置し、上記第２の発明に係る階段アタッチメントを既設階段の偶数段の手前側に配置することにより、既設階段の踏板を左右段違いとし、その全体を互い違い形式の階段に変更することができることとなる。
【００１６】
本発明の第５のものにおいても、上記第４の発明と同様に、上記第１の発明に係る階段アタッチメントを既設階段の全ての段の手前側に左右互い違いに設置することによって既設階段の全てを簡単に互い違い形式の階段に変更することができる。
同様に、本発明の第６のものにおいても、上記第２の発明に係る階段アタッチメントを既設階段のすべての段の手前側に左右交互に設置することによって既設階段の全てを簡単に互い違い形式の階段に変更することができるものである。
そして、上記第４乃至第６のいずれの発明ににおいても、必要に応じて、その互い違い形式の階段を簡単に元に戻すことも容易にできるものである。
【図面の簡単な説明】
【００１７】
【図１】本発明の第１の実施形態に係る階段用階段アタッチメントを木造住宅の既設階段の第一段目の手前右側に配置し、固定した状態の説明図である。
【図２】上記第１実施形態に係る階段用階段アタッチメントの背面側から見た説明図である。
【図３】本発明の第２の実施形態に係る階段用階段アタッチメントを木造住宅の既設階段の第２段目の手前左側に配置し、固定した状態の説明図である。
【図４】上記第２実施形態において、支柱の下端部の基礎板の形状の異なるタイプのものを図示した中央縦断面説明図である。
【図５】本発明に係る上記第１及び第２実施形態に係る階段アタッチメントを既設階段に設置した状態を図示する説明図である。
【発明を実施するための形態】
【００１８】
以下、添付の図面と共に本発明の実施形態について説明する。
図１は、本発明の第１の実施形態に係る階段用階段アタッチメントを木造住宅の既設階段の第一段目の手前右側に配置し、固定した状態の説明図である。
図２は、上記第１実施形態に係る階段用階段アタッチメントの背面側から見た説明図である。以下、両図に基づき説明をする。
【００１９】
本発明に係る階段用階段アタッチメント１０は、上部箱体１１及び下部箱体１２と、両箱体１１、１２の内部に配置される高さ調整可能なターンバックル・パイプを用いた支柱１３、１３と、突っ張り棒１４とから成る。
上部箱体１１は、踏板となる天板１１ｔと、天板１１ｔの両側の側方版１１ｓ、１１ｓと、手前側の蹴込み板１１ｋの４つの面から構成されている。
従って、背面と底面のない４面からなる箱体状のものから構成される。
天板１１ｔの横幅は、既設階段Ｋの横幅の略１／２で、その前後方向の長さは、既設階段Ｋの踏み面と略同一である。
【００２０】
他方、下部箱体１２は、前記上部箱体１１と上下対称の形状を有し、底板１２ｂと、その両側の側方版１２ｓ、１２ｓと、その手前側の蹴込み板１２ｋの４面から構成されている。
前記天板１１ｔと前記底板１２ｂとの間には、高さ調整可能な支柱１３を左右各１本ずつ配設している。
【００２１】
この支柱１３には、その上端部に支持板１３ｔが設けられ、その下端部には基礎板１３ｂが設けられて、その中央部にはターンバックル・パイプ１３ｐが組み付けられ、このターンバックル・パイプ１３ｐの上端部と下端部に設けた雌ネジと、このパイプ１３ｐの上下の螺子棒に刻設された雄ネジとが相互に螺合し、且つ、上方と下方との螺子の向きを逆向きにすることにより、ターンバックル・パイプ１３ｐを一方の方向に回転させることにより支柱１３はその高さを上昇させ、逆向きに回転させることによりその高さを下降させることができる。
【００２２】
これにより、支柱１３はその高さを調整することができ、階段アタッチメント１０の天板１１ｔの高さを既設階段Ｋの段部の高さに合致させることができる。
即ち、既設階段Ｋの踏み面Ｆと階段アタッチメント１０の天板１１とが面一状態となるのである。
このように、既設階段Ｋの第１段目の手前右側に階段アタッチメント１０を配置することにより、第１段目の踏み面の前後方向長さは、既設のものと比較すれば約２倍の長さに広がることとなるのである。
尚、上記支柱１３の上端の支持板１３ｔと下端の基礎板１３ｂはそれぞれ天板１１ｔと底板１２ｂにそれぞれ螺子等によって固定されている。
【００２３】
本実施形態においては、図１に示した通り、突っ張り棒１４が更に設けられている。
この突っ張り棒１４は、その両端部に押し板１４ｓ（右側の押し板は図には表れていない）が設けられ、その中央にはターンバックル・パイプ１４ｐが配設されたもので、基本的には前記支柱１３と同様の構成のものである。
【００２４】
この突っ張り棒１４は、前記階段アタッチメント１０を既設階段Ｋの第１段目の手前右側に配置した後に、その左側の側面である側方版１２ｓと既設階段Ｋの側桁Ｇとの間に介在させ、ターンバックル・パイプ１４ｐを回転させて、その長さを伸長させるようにして階段アタッチメント１０の側方版１２ｓを押圧することによって、階段アタッチメント１０を既設階段Ｋの第１段目右側に固定することができるのである。
【００２５】
以下同様に、この階段アタッチメント１０を第２段目の左側の手前に、即ち、既設階段Ｋの第１段目の左側踏み面上に設置し、固定でき、更に３段目手前右側に、４段目手前左側に、以下順次繰り返して最上段まで取り付けることができるものである。
このように階段アタッチメント１０を各段左右交互に設置、固定することにより、既設階段Ｋは、左右の踏み面が交互に、互い違いに、段違いとなり、互い違い形式の階段を出現させることができるのである。
【００２６】
また必要に応じて、全ての突っ張り棒１４を収縮させて、これを取り外し、それぞれの階段アタッチメント１０を取り除くことによって、元の既設階段に戻すことも可能となるのである。
尚、勿論のことであるが、第１段目手前側に取り付ける最初の階段アタッチメントは、上記と異なり、第１段目の手前左側に配置することもできる。
【００２７】
図３は、本発明の第２の実施形態に係る階段用階段アタッチメントを木造住宅の既設階段の第２段目の手前左側に配置し、固定した状態の説明図である。
この第２の実施形態に係る階段アタッチメント２０においては、踏板２１とその下面四隅に螺子等により固定された高さ調整可能な４本の支柱１３、１３、…とから成るものである。
踏板２１の横幅は、既設階段Ｋの横幅の略１／２で、その前後方向の長さは、既設階段Ｋの踏み面と略同一である。
【００２８】
支柱１３は、前記第１実施形態で用いたものとほぼ同様であるが、上端の支持板及び下端の基礎板の大きさが異なり、本実施形態のものでは小さいものを使用している。
また、この図では明瞭に表れておらず、次図で説明するが、前方側の支柱上端の支持板の形態がこの第２実施形態では、前記第１実施形態と異なっている。
即ち、踏板２１の前方側の左右２つの支持板の前方縁部が延長して設けられ、その延長部が既設階段Ｋの踏板Ｆの手前側縁部の突出部（段鼻Ｈ）の下面に当接するように形成されている。
このように、前方側左右２つの支柱１３の支持板が段鼻Ｈの下面に当接し、この下面を押し上げることによって、階段アタッチメント２０が既設階段Ｋに取り付けられ、固定されるのである。この点は再度次図で説明する。
【００２９】
この図３においては、階段アタッチメント２０を既設階段Ｋの２段目の手前の左側に配置して固定しているが、これにより２段目の階段の踏み面の前後方向の長さが２倍に延長されるのである。
この第２実施形態に係る階段アタッチメント２０は、第１段目の手前右側に、そして図３に図示した第２段目手前左側に、第３段目手前右側に、第４段目手前左側に、以下順次これを繰り返して最上段まで取り付けることができるものである。
【００３０】
このように階段アタッチメント２０を各段左右交互に設置、固定することにより、既設階段Ｋは、左右の踏み面が交互に、互い違いに、段違いとなり、互い違い形式の階段を出現させることができるのである。
また必要に応じて、それぞれの前方側の支柱を収縮させて、全ての階段アタッチメントを取り外すことによって、元の既設階段に戻すことも可能となる。
尚、勿論のことであるが、第１実施形態と同様に、第１段目手前側に取り付ける最初の階段アタッチメント２０は、第１段目の手前左側に配置して順次右・左と互い違いに配置して固定することもできる。
【００３１】
図４は、上記第２実施形態において、支柱の下端部の基礎板の形状の異なるタイプのものを図示した中央縦断面説明図である。
この図から支柱の上端の支持板及び下端の基礎板との形態を見て取ることができる。
階段アタッチメント２０の手前側の支柱１３ｅにおいては、その上端の支持板１３ｔは、平面視略四角形状のもので螺子によって踏板２１の裏面に固定されている。
【００３２】
同様に、階段アタッチメント２０の前方側の支持板１３ｈは、平面視略矩形形状のもので螺子によって踏板２１の前方縁の下面に固定されると共に、その支持板１３ｈの前方縁部が更に前方に延長して支持板延長部１３ｉが設けられているのである。
そして、この支持板延長部１３ｉが既設階段Ｋの段鼻Ｈの下面に当接することができ、支柱１３ｆを上方に伸長させることにより階段アタッチメント２０が既設階段Ｋに固定されることとなるのである。
この構成は、図３に記載の階段アタッチメント２０と同じである。
【００３３】
他方、手前側左右の支柱１３ｅの下端の基礎板は、平面視略四角形形状のものであるが、その手前側が下方に折曲されて既設階段Ｋの段鼻Ｈと係合する係合部１３ｋが設けられている点が、前図３のものと異なっている。
この係合部１３ｋの存在により、階段アタッチメント２０の既設階段の段部への設置に際して便利なものとなる。
また、この係合部１３ｋは、この実施形態では断面略Ｌ字型のものを使用しているが、断面略コ字形状のものとして、踏板Ｆの段鼻Ｈを抱持するような形状のものであってもよい。
【００３４】
図５は、本発明に係る上記実施形態に係る階段アタッチメントを既設階段に設置した状体を図示する説明図である。
この図５に図示したように、上記第１実施形態に係る階段アタッチメント１０を既設階段Ｋの第１段目の手前右側に配置し、突っ張り棒１４で固定する。
【００３５】
次に、上記第２実施形態に係る階段アタッチメント２０を既設階段Ｋの第２段目手前左側に配置し、図には明瞭に表れていない前方側の支柱１３ｆ、１３ｆによって固定する。
更に、既設階段Ｋの第３段目手前右側に階段アタッチメント１０を、第４段目手前左側に階段アタッチメント２０を、以下これを順次繰り返して、左右交互に階段アタッチメント１０、２０を設置し固定して行くことにより、踏み面が左右段違いに、即ち左右互い違いに、互い違い形式の階段が出来上がるのである。
【００３６】
勿論、第１段目手前に配置する階段アタッチメント１０を左側に配置し、以下順次右・左に互い違いに配置することもできる。
このようにして、この図５から明瞭に見て取れるように、各踏み面は、横幅が半分になるものの、その前後方向の長さは２倍となり、その踏み面に乗る片足は、その踏み面を踏み外す心配は極めて少ないものと成るのである。
即ち、各踏み面が踊り場の如き広さを有するものとなるのである。
尚、本発明に係る階段アタッチメントは、互い違い階段（登録商標）を既設階段に出現させるものであるが、このために、上記第１実施形態のみ、又は、上記第２実施形態のみで、これを各段部に左右交互に設置することにより実現することも可能である。
【００３７】
以上、実施形態について説明したが、本発明においては、以下の通りその形態を種々変更することができる。
上記第１実施形態においては、下部箱体が上部箱体内に収容されるように構成したが、これを逆に上部箱体が下部箱体内に収容できる構成とすることもできる。
上部箱体及び下部箱体の材質は、木材又は金属板等適宜採用できるが、上部箱体の天板（踏板）及び蹴込み板は、木材製が好ましい。既設階段との適合性を考慮したものである。
また、本発明に係る階段アタッチメントを既設階段に設置した後に、踏板の上に各種のシート、マット等を敷設して、滑り止め部材又はクッション部材を付加してもよい。
【００３８】
支柱も、上記実施形態ではターンバックル・パイプを用いたものを使用したが、高さ調整可能な支柱であれば、どのような形式のものであってもよいが、ターンバックル形式のものが操作性に優れている。
第１実施形態においては、支柱は、左側と右側に各２個ずつ全てで４個、天板の四隅に設けたものであってもよい。
以上、本発明は、これまでにない極めてユニークで画期的な住宅等の建築物の既設階段に互い違い形式の階段を出現させることのできる階段アタッチメントを提供することができたものである。
【符号の説明】
【００３９】
１０、２０  階段用アタッチメント
１１  上部箱体
１１ｔ  天板（踏板）
１１ｓ  側方版
１１ｋ  蹴込み板
１２  下部箱体
１２ｂ  底板
１２ｓ  側方版
１２ｋ  蹴込み板
１３、１３ｅ、１３ｆ  支柱
１３ｔ、１３ｈ  支持板
１３ｉ  支持板延長部
１３ｂ  基礎板
１３ｋ  係合部
１３ｐ、１４ｐ  ターンバックル・パイプ
１４  突っ張り棒
２１  踏板
Ｋ  既設階段
Ｆ  踏板
Ｇ  側桁
Ｈ  段鼻
【図１】
2012041768.tif 000003
【図２】
2012041768.tif 000004
【図３】
2012041768.tif 000005
【図４】
2012041768.tif 000006
【図５】
2012041768.tif 000007